(57)【要約】  本発明は評価情報のマッチング方法、装置、記憶媒体及びサーバーであって、返答された評価情報とシステムにおけるサービス記録とのマッチングエラーが発生しやすいという問題を解決するために用いられる。該評価情報のマッチング方法は、目標評価情報と前記目標評価情報に対応する目標評価ショートメッセージを取得することと、前記目標評価ショートメッセージを送信した第一電話番号を取得することと、前記目標評価情報を送信した第二電話番号を取得することと、前記第一電話番号内の第一標識番号を抽出することと、プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することと、検索された前記サービス記録を、前記目標評価情報とマッチングする目標サービス記録と判定することを含む。【選択図】図１
2019508762.tif 000002
【特許請求の範囲】
【請求項１】
目標評価情報と前記目標評価情報に対応する目標評価ショートメッセージを取得することと、
前記目標評価ショートメッセージを送信した第一電話番号を取得することと、
前記目標評価情報を送信した第二電話番号を取得することと、
前記第一電話番号内の第一標識番号を抽出することと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することと、
検索された前記サービス記録を、前記目標評価情報とマッチングする目標サービス記録と判定することと、を含む、
ことを特徴とする評価情報のマッチング方法。
【請求項２】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする請求項１に記載の評価情報のマッチング方法。
【請求項３】
前記初歩的な検索結果におけるサービス記録の数量が１と等しい場合、前記初歩的な検索結果におけるサービス記録を、検索された前記サービス記録と判定することをさらに含む、
ことを特徴とする請求項２に記載の評価情報のマッチング方法。
【請求項４】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索する前に、
マッチング対象のサービス記録を取得することと、
取得された前記マッチング対象のサービス記録を、前記プリセットされたサービス記録と判定することと、をさらに含む、
ことを特徴とする請求項１から３のいずれか一項に記載の評価情報のマッチング方法。
【請求項５】
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする請求項４に記載の評価情報のマッチング方法。
【請求項６】
目標評価情報と前記目標評価情報に対応する目標評価ショートメッセージを取得するために用いられる、評価情報ショートメッセージ取得モジュールと、
前記目標評価ショートメッセージを送信した第一電話番号を取得するために用いられる、第一番号取得モジュールと、
前記目標評価情報を送信した第二電話番号を取得するために用いられる、第二番号取得モジュールと、
前記第一電話番号内の第一標識番号を抽出するために用いられる、第一標識番号取得モジュールと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するために用いられる、サービス記録検索モジュールと、
検索された前記サービス記録を、前記目標評価情報とマッチングする目標サービス記録と判定するために用いられる、マッチングモジュールと、を含む、
ことを特徴とする評価情報のマッチング装置。
【請求項７】
前記サービス記録検索モジュールは、
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得るために用いられる、初歩的検索ユニットと、
前記初歩的な検索結果におけるサービス記録の数量が１より大きいか否かを判断するために用いられる、数量判断ユニットと、
前記数量判断ユニットの判断結果がイエスの場合、前記初歩的な検索結果において対応する評価ショートメッセージの送信時刻が最も早いサービス記録を、検索された前記サービス記録と判定するために用いられる、検索判定ユニットと、を含む、
ことを特徴とする請求項６に記載の評価情報のマッチング装置。
【請求項８】
前記初歩的な検索結果におけるサービス記録の数量が１と等しい場合、前記初歩的な検索結果におけるサービス記録を、検索された前記サービス記録と判定するために用いられる、サービス記録判定モジュールをさらに含む、
ことを特徴とする請求項７に記載の評価情報のマッチング装置。
【請求項９】
マッチング対象のサービス記録を取得するために用いられる、マッチング対象記録取得モジュールと、
取得された前記マッチング対象のサービス記録を、前記プリセットされたサービス記録と判定するために用いられる、プリセット記録判定モジュールと、をさらに含む、
ことを特徴とする請求項６から８のいずれか一項に記載の評価情報のマッチング装置。
【請求項１０】
マッチング対象のサービス記録に対応する評価ショートメッセージの送信済み時間がプリセットされた時間閾値を超えるか否かを判断するために用いられる、送信済み時間判断モジュールと、
前記送信済み時間判断モジュールの判断結果がイエスの場合、前記マッチング対象のサービス記録とプリセットされたデフォルト評価情報とのマッチングを行うために用いられる、デフォルト評価モジュールと、をさらに含む、
ことを特徴とする請求項９に記載の評価情報のマッチング装置。
【請求項１１】
記憶装置、プロセッサ及び前記記憶装置に記憶されかつ前記プロセッサに実行可能なコンピュータプログラムを含むサーバーであって、前記プロセッサが前記コンピュータプログラムを実行する時に、
目標評価情報と前記目標評価情報に対応する目標評価ショートメッセージを取得するステップと、
前記目標評価ショートメッセージを送信した第一電話番号を取得するステップと、
前記目標評価情報を送信した第二電話番号を取得するステップと、
前記第一電話番号内の第一標識番号を抽出するステップと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップと、
検索された前記サービス記録を、前記目標評価情報とマッチングする目標サービス記録と判定するステップと、を実現する、
ことを特徴とするサーバー。
【請求項１２】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする請求項１１に記載のサーバー。
【請求項１３】
前記初歩的な検索結果におけるサービス記録の数量が１と等しい場合、前記初歩的な検索結果におけるサービス記録を、検索された前記サービス記録と判定することをさらに含む、
ことを特徴とする請求項１２に記載のサーバー。
【請求項１４】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップの前に、
マッチング対象のサービス記録を取得することと、
取得された前記マッチング対象のサービス記録を、前記プリセットされたサービス記録と判定することと、をさらに含む、
ことを特徴とする請求項１１から１３のいずれか一項に記載のサーバー。
【請求項１５】
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする請求項１４に記載のサーバー。
【請求項１６】
コンピュータプログラムが記憶されたコンピュータ可読記憶媒体であって、前記コンピュータプログラムがプロセッサによって実行される時に、
目標評価情報と前記目標評価情報に対応する目標評価ショートメッセージを取得するステップと、
前記目標評価ショートメッセージを送信した第一電話番号を取得するステップと、
前記目標評価情報を送信した第二電話番号を取得するステップと、
前記第一電話番号内の第一標識番号を抽出するステップと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップと、
検索された前記サービス記録を、前記目標評価情報とマッチングする目標サービス記録と判定するステップと、を実現する、
ことを特徴とするコンピュータ可読記憶媒体。
【請求項１７】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする請求項１６に記載のコンピュータ可読記憶媒体。
【請求項１８】
前記初歩的な検索結果におけるサービス記録の数量が１と等しい場合、前記初歩的な検索結果におけるサービス記録を、検索された前記サービス記録と判定することをさらに含む、
ことを特徴とする請求項１７に記載のコンピュータ可読記憶媒体。
【請求項１９】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップの前に、
マッチング対象のサービス記録を取得することと、
取得された前記マッチング対象のサービス記録を、前記プリセットされたサービス記録と判定することと、をさらに含む、
ことを特徴とする請求項１６から１８のいずれか一項に記載のコンピュータ可読記憶媒体。
【請求項２０】
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする請求項１９に記載のコンピュータ可読記憶媒体。
【発明の詳細な説明】
【技術分野】
【０００１】
（関連出願の相互参照）
本願は２０１７年２月１６日に出願された中国特許出願第ＣＮ２０１７１００８３４５７．７、名称“評価情報のマッチング方法及び装置”の優先権を享受し、該中国特許出願の全体内容は参照により本願に組み入れられる。
【０００２】
（技術分野）
本発明は金融サービス分野に関し、特に評価情報のマッチング方法、装置、記憶媒体及びサーバーに関する。
【背景技術】
【０００３】
企業のサービス品質の監視と向上のため、評価ショートメッセージは重要なユーザーフィードバックの手段としてますます多くの企業に採用される。企業のカスタマーサポート担当者が顧客に人工サービスを提供した後、企業のシステムに今回の人工サービスのサービス記録を入力し、かつ一つの評価ショートメッセージの送信リクエストをトリガーし、事前に合意した方式で電気通信事業者を介して該顧客の携帯電話に一件の評価ショートメッセージを送信する。顧客はこの評価ショートメッセージに評価情報を返答することができ、返答された評価情報はシステムにおける該サービス記録とマッチングし、それにより企業は該カスタマーサポート担当者の今回の人工サービスに対する顧客フィードバックを得ることができる。
【０００４】
現在、通常に評価ショートメッセージを送信する前に、サービス記録の標識番号を、評価ショートメッセージを送信する番号内に組み込み、該評価ショートメッセージを送信する番号で評価ショートメッセージを送信する。顧客が評価情報を返答する時、システムは、評価ショートメッセージを送信する番号内に組み込まれた標識番号を介して対応するサービス記録を探し出して、評価情報とサービス記録とのマッチングを完了する。
【０００５】
しかしながら、評価ショートメッセージを送信する番号の長さは、電気通信事業者に厳しく制限されていることによって、組み込むことができる標識番号の長さが限定されることを引き起こす。このために短時間内に大量の評価ショートメッセージを送信する場合、同一の顧客の携帯電話が同じである番号から評価ショートメッセージを受信する可能性があるので、返答された評価情報とシステムにおけるサービス記録とのマッチングエラーが発生する状況を引き起こし、企業サービス品質監視の正確性が低下してしまう。
【発明の概要】
【発明が解決しようとする課題】
【０００６】
本発明の実施例は評価情報のマッチング方法、装置、記憶媒体及びサーバーを提供することによって、返答された評価情報とシステムにおけるサービス記録とのマッチングエラーが発生する状況を避けることができ、企業サービス品質監視の正確性を高める。
【課題を解決するための手段】
【０００７】
本発明の実施例が提供する評価情報のマッチング方法は、
目標評価情報と前記目標評価情報に対応する目標評価ショートメッセージを取得することと、
前記目標評価ショートメッセージを送信した第一電話番号を取得することと、
前記目標評価情報を送信した第二電話番号を取得することと、
前記第一電話番号内の第一標識番号を抽出することと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することと、
検索された前記サービス記録を、前記目標評価情報とマッチングする目標サービス記録と判定することを含む。
【０００８】
本発明の実施例が提供する評価情報のマッチング装置は、
目標評価情報と前記目標評価情報に対応する目標評価ショートメッセージを取得するために用いられる、評価情報ショートメッセージ取得モジュールと、
前記目標評価ショートメッセージを送信した第一電話番号を取得するために用いられる、第一番号取得モジュールと、
前記目標評価情報を送信した第二電話番号を取得するために用いられる、第二番号取得モジュールと、
前記第一電話番号内の第一標識番号を抽出するために用いられる、第一標識番号取得モジュールと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するために用いられる、サービス記録検索モジュールと
検索された前記サービス記録を、前記目標評価情報とマッチングする目標サービス記録と判定するために用いられる、マッチングモジュールを含む。
【０００９】
本発明の実施例が提供するサーバーは、記憶装置、プロセッサ及び前記記憶装置に記憶されかつ前記プロセッサに実行可能なコンピュータプログラムを含み、前記プロセッサは前記コンピュータプログラムを実行する時に上記評価情報のマッチング方法のステップを実現する。
【００１０】
本発明の実施例が提供するコンピュータ可読記憶媒体にコンピュータプログラムが記憶され、前記コンピュータプログラムがプロセッサによって実行される時に上記評価情報のマッチング方法のステップを実現する。
【発明の効果】
【００１１】
以上の技術的解決手段からわかるように、本発明の実施例は以下の利点を有する。
【００１２】
本発明の実施例において、まず、目標評価情報と前記目標評価情報に対応する目標評価ショートメッセージを取得し、続いて、前記目標評価ショートメッセージを送信した第一電話番号を取得するとともに、前記目標評価情報を送信した第二電話番号を取得し、次に、前記第一電話番号内の第一標識番号を抽出し、プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索し、最後に、検索された前記サービス記録を、前記目標評価情報とマッチングする目標サービス記録と判定する。本発明の実施例において、標識番号、電話番号及び対応する評価ショートメッセージの送信時刻から条件に合致するサービス記録を検索して、同一の顧客の携帯電話が同じである番号からの評価ショートメッセージを受信するという状況が発生しても、対応する評価ショートメッセージの送信時刻に基づいて目標評価情報とマッチングするサービス記録を正確に検索することができ、返答された評価情報とシステムにおけるサービス記録とのマッチングエラーが発生する状況を避け、企業サービス品質監視の正確性を高めている。
【図面の簡単な説明】
【００１３】
【図１】本発明の実施例における評価情報のマッチング方法の第一の実施例のフローチャートである。
【図２】本発明の実施例における評価情報のマッチング方法の第二の実施例のフローチャートである。
【図３】本発明の実施例における評価情報のマッチング方法の第三の実施例のフローチャートである。
【図４】本発明の実施例における評価情報のマッチング装置の第一の実施例の構造図である。
【図５】本発明の実施例における評価情報のマッチング装置の第二の実施例の構造図である。
【図６】本発明の実施例における評価情報のマッチング装置の第三の実施例の構造図である。
【図７】本発明の実施例が提供するサーバーの概略図である。
【発明を実施するための形態】
【００１４】
本発明の実施例は評価情報のマッチング方法、装置、記憶媒体及びサーバーを提供し、返答された評価情報とシステムにおけるサービス記録とのマッチングエラーが発生しやすいという問題を解決するために用いられる。
【００１５】
本発明の発明目的、特徴、利点をより明瞭でわかりやすくさせるため、次に本発明の実施例における図面を併せて、本発明の実施例における技術的解決手段に対して明確にかつ完全に説明し、当然ながら、次に説明する実施例は本発明の一部の実施例に過ぎず、すべての実施例ではない。本発明における実施例に基づき、当業者が創造的な労働を行わない先決条件の下で得られるすべての他の実施例は、いずれも本発明の保護範囲に属する。
【００１６】
図１に示すとおり、本発明の実施例における評価情報のマッチング方法の第一の実施例は以下を含む。
【００１７】
１０１：目標評価情報と前記目標評価情報に対応する目標評価ショートメッセージを取得する。
【００１８】
本実施例において、まず、目標評価情報と前記目標評価情報に対応する目標評価ショートメッセージを取得することができる。
【００１９】
該目標評価情報は顧客が該目標評価ショートメッセージに返答する評価情報であってもよい。顧客が一件の評価ショートメッセージに評価情報を返答する場合、該評価情報を該評価ショートメッセージの送信元の電話番号に送信し、このためにシステムは目標評価情報及び対応する目標評価ショートメッセージを直接取得することができることを理解すべきである。
【００２０】
１０２：前記目標評価ショートメッセージを送信した第一電話番号を取得する。
【００２１】
前記目標評価ショートメッセージを取得した後、前記目標評価ショートメッセージを送信した第一電話番号を取得することができる。
【００２２】
上記第一電話番号はこの目標評価ショートメッセージを送信した電話番号を指す。これらの評価ショートメッセージを送信した電話番号は合意した規則に基づいて設定された電話番号であることを理解すべきである。例えば、電気通信事業者が企業に提供する公式番号が２２２２２であると仮定し、実際に評価ショートメッセージを送信した電話番号に対し、番号２２２２２の後ろに三桁の標識番号を追加してサービスデータの区別又はサービス記録のインデックスに用いることができ、したがって評価ショートメッセージを送信した電話番号は２２２２２ＸＸＸである。２２２２２ＸＸＸの番号は同時に最大１０００件の評価ショートメッセージを区別することができると分かり、１０００件の評価ショートメッセージを超える場合、同一の電話番号から二件以上の評価ショートメッセージを送信するという状況が発生する。
【００２３】
１０３：前記目標評価情報を送信した第二電話番号を取得する。
【００２４】
前記目標評価情報を取得した後、前記目標評価情報を送信した第二電話番号を取得することができ、該第二電話番号はすなわち該目標評価情報を送信した顧客の電話番号である。
【００２５】
１０４：前記第一電話番号内の第一標識番号を抽出する。
【００２６】
前記第一電話番号を取得した後、前記第一電話番号内の第一標識番号を抽出することができる。
【００２７】
該第一電話番号で目標評価ショートメッセージを送信する前、該第一電話番号にサービス記録の標識番号を組み込むことを理解すべきである。例えば、評価ショートメッセージを送信した電話番号は２２２２２ＸＸＸであると仮定し、該電話番号の後ろ三桁“ＸＸＸ”は該サービス記録の標識番号が組み込まれた位置である。評価ショートメッセージを送信した電話番号内の標識番号を抽出した後、これらの標識番号に基づいて対応するサービス記録を検索することができる。
【００２８】
特に、サービス記録を検索しやすいため、サービス記録のＩＤ番号の後ろ三桁を採用して該サービス記録の標識番号とすることができる。
【００２９】
１０５：プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索する。
【００３０】
前記第一標識番号、前記第二電話番号を取得した後、プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することができる。
【００３１】
評価ショートメッセージを送信した電話番号内にサービスデータの区別又はサービス記録のインデックスに用いられる標識番号の桁数が限定されるため、例えば、評価ショートメッセージを送信した電話番号は２２２２２ＸＸＸであると仮定し、それが同時に最大１０００件の評価ショートメッセージを区別することができ、１０００件の評価ショートメッセージを超える場合、同一の電話番号から二件以上の評価ショートメッセージを送信するという状況が発生し、このためにただプリセットされたサービス記録から、標識番号が前記第一標識番号と同じであり、かつ対応する評価ショートメッセージの受信側の電話番号が前記第二電話番号と同じサービス記録を検索するだけでは、条件に合致する二件以上のサービス記録を得る可能性があり、この時に該目標評価情報が間違ったサービス記録とのマッチングを行う状況が存在することを理解すべきである。
【００３２】
上記マッチングエラーの状況の発生を避けるため、さらに検索されたサービス記録に対応する評価ショートメッセージの送信時刻がプリセット条件を満たすことを要求する。該プリセット条件は評価ショートメッセージの送信時刻が一定の時間範囲、例えば１〜２日内にあることを要求することができ、企業の日常人工サービスの数量から見ると、１〜２日以内に通常に１０００件の評価ショートメッセージの送信量を超えることがなく、このために１〜２日以内に評価ショートメッセージ番号重複の評価ショートメッセージの送信を発生する確率が極めて小さく、それによりマッチングエラーという状況の発生を避けることができる。特に、マッチングエラーの確率をさらに低減するため、さらに該時間範囲をより短く、例えば一時間内に設定することができる。
【００３３】
１０６：検索された前記サービス記録を、前記目標評価情報とマッチングする目標サービス記録と判定する。
【００３４】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索した後、検索された前記サービス記録を、前記目標評価情報とマッチングする目標サービス記録と判定することができる。
【００３５】
上記ステップ１０５の検索条件による選別を経て、検索されたサービス記録を目標評価情報に一意的に対応しかつマッチングすると見なすことができ、このためにそれを目標サービス記録と判定することができることを理解すべきである。
【００３６】
本実施例において、まず、目標評価情報と前記目標評価情報に対応する目標評価ショートメッセージを取得し、続いて、前記目標評価ショートメッセージを送信した第一電話番号を取得するとともに、前記目標評価情報を送信した第二電話番号を取得し、次に、前記第一電話番号内の第一標識番号を抽出し、プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索し、最後に、検索された前記サービス記録を、前記目標評価情報とマッチングする目標サービス記録と判定する。本実施例において、標識番号、電話番号及び対応する評価ショートメッセージの送信時刻から条件に合致するサービス記録を検索して、同一の顧客の携帯電話が同じ番号からの評価ショートメッセージを受信するという状況が発生しても、対応する評価ショートメッセージの送信時刻に基づいて目標評価情報とマッチングするサービス記録を正確に検索することができ、返答された評価情報とシステムにおけるサービス記録とのマッチングエラーが発生する状況を避け、企業サービス品質監視の正確性を高めている。
【００３７】
理解しやすいため、次に他の態様から本発明の評価情報のマッチング方法に対してさらに詳しく説明し、図２に示すとおり、本発明の実施例における評価情報のマッチング方法の第二の実施例は以下を含む。
【００３８】
２０１：目標評価情報と前記目標評価情報に対応する目標評価ショートメッセージを取得する。
【００３９】
本実施例において、まず、目標評価情報と前記目標評価情報に対応する目標評価ショートメッセージを取得することができる。
【００４０】
該目標評価情報は顧客が該目標評価ショートメッセージに返答する評価情報であってもよい。顧客が一件の評価ショートメッセージに評価情報を返答する場合、該評価情報を該評価ショートメッセージの送信元の電話番号に送信し、このためにシステムは目標評価情報及び対応する目標評価ショートメッセージを直接取得することができることを理解すべきである。
【００４１】
２０２：前記目標評価ショートメッセージを送信した第一電話番号を取得する。
【００４２】
前記目標評価ショートメッセージを取得した後、前記目標評価ショートメッセージを送信した第一電話番号を取得することができる。
【００４３】
上記第一電話番号はこの目標評価ショートメッセージを送信した電話番号を指す。これらの評価ショートメッセージを送信した電話番号は合意した規則に基づいて設定された電話番号であることを理解すべきである。例えば、電気通信事業者が企業に提供する公式番号が２２２２２であると仮定し、実際に評価ショートメッセージを送信した電話番号に対し、番号２２２２２の後ろに三桁の標識番号を追加してサービスデータの区別又はサービス記録のインデックスに用いることができ、したがって評価ショートメッセージを送信した電話番号は２２２２２ＸＸＸである。２２２２２ＸＸＸの番号は同時に最大２０００件の評価ショートメッセージを区別することができると分かり、２０００件の評価ショートメッセージを超える場合、同一の電話番号から二件以上の評価ショートメッセージを送信するという状況が発生する。
【００４４】
２０３：前記目標評価情報を送信した第二電話番号を取得する。
【００４５】
前記目標評価情報を取得した後、前記目標評価情報を送信した第二電話番号を取得することができ、該第二電話番号はすなわち該目標評価情報を送信した顧客の電話番号である。
【００４６】
２０４：前記第一電話番号内の第一標識番号を抽出する。
【００４７】
前記第一電話番号を取得した後、前記第一電話番号内の第一標識番号を抽出することができる。
【００４８】
該第一電話番号で目標評価ショートメッセージを送信する前、該第一電話番号にサービス記録の標識番号を組み込むことを理解すべきである。例えば、評価ショートメッセージを送信した電話番号は２２２２２ＸＸＸであると仮定し、該電話番号の後ろ三桁“ＸＸＸ”は該サービス記録の標識番号が組み込まれた位置である。評価ショートメッセージを送信した電話番号内の標識番号を抽出した後、これらの標識番号に基づいて対応するサービス記録を検索することができる。
【００４９】
特に、サービス記録を検索しやすいため、サービス記録のＩＤ番号の後ろ三桁を採用して該サービス記録の標識番号とすることができる。
【００５０】
２０５：プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得る。
【００５１】
前記第一標識番号、前記第二電話番号を取得した後、プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得る。
【００５２】
評価ショートメッセージを送信した電話番号内にサービスデータの区別又はサービス記録のインデックスに用いられる標識番号の桁数が限定されるため、例えば、評価ショートメッセージを送信した電話番号は２２２２２ＸＸＸであると仮定し、それが同時に最大２０００件の評価ショートメッセージを区別することができ、２０００件の評価ショートメッセージを超える場合、同一の電話番号から二件以上の評価ショートメッセージを送信するという状況が発生し、このためにただプリセットされたサービス記録から、標識番号が前記第一標識番号と同じであり、かつ対応する評価ショートメッセージの受信側の電話番号が前記第二電話番号と同じであるサービス記録を検索だけでは、条件に合致する二件以上のサービス記録を得る可能性があり、この時に該目標評価情報と間違ったサービス記録とのマッチングを行う状況が存在することを理解すべきである。このため、該初歩的な検索結果において二件以上のサービス記録を含む可能性がある。
【００５３】
２０６：前記初歩的な検索結果におけるサービス記録の数量が１より大きいか否かを判断して、数量が１より大きい場合、ステップ２０７を実行し、数量が１以下の場合、ステップ２０８を実行する。
【００５４】
初歩的な検索結果を取得した後、前記初歩的な検索結果における記録の数量が１より大きいか否かを判断することができ、数量が１より大きい場合、ステップ２０７を実行し、数量が１以下の場合、ステップ２０８を実行する。
【００５５】
２０７：前記初歩的な検索結果において対応する評価ショートメッセージの送信時刻が最も早いサービス記録を、検索された前記サービス記録と判定する。
【００５６】
前記初歩的な検索結果におけるサービス記録の数量が１より大きい場合、前記初歩的な検索結果において対応する評価ショートメッセージの送信時刻が最も早いサービス記録を、検索された前記サービス記録と判定することができる。
【００５７】
本発明の第二の実施例において、上述の第一の実施例における評価ショートメッセージの送信時刻が満たさなければならないプリセット条件は、対応する評価ショートメッセージの送信時刻が最も早いことを要求する。具体的に、評価ショートメッセージの送信時刻に基づいて初歩的な検索結果におけるサービス記録に対して昇順ソートを行い、続いて昇順で一番目のサービス記録を採用して該検索されたサービス記録とし、すなわち最初に送信した評価ショートメッセージに対応するサービス記録を採用して今回のマッチングを行う必要なサービス記録とする。
【００５８】
２０８：前記初歩的な検索結果におけるサービス記録の数量が１と等しいか否かを判断して、数量が１と等しい場合、ステップ２０９を実行し、数量が１と等しくない場合、ステップ２１０を実行する。
【００５９】
前記初歩的な検索結果におけるサービス記録の数量が１以下の場合、前記初歩的な検索結果におけるサービス記録の数量が１と等しいか否かを判断することができ、数量が１と等しい場合、ステップ２０９を実行し、数量が１と等しくない場合、ステップ２１０を実行する。
【００６０】
２０９：前記初歩的な検索結果におけるサービス記録を、検索された前記サービス記録と判定する。
【００６１】
前記初歩的な検索結果におけるサービス記録の数量が１と等しい場合、前記初歩的な検索結果におけるサービス記録を、検索された前記サービス記録と判定することができる。初歩的な検索結果におけるサービス記録の数量が１の場合、マッチングエラーの発生可能性が存在せず、このためにそれを検索された前記サービス記録と直接判定することができることを理解すべきである。
【００６２】
２１０：サービス記録の検索失敗のアラート情報を返す。
【００６３】
前記初歩的な検索結果におけるサービス記録の数量が０と等しい場合、サービス記録の検索失敗のアラート情報を返すことができる。
【００６４】
２１１：検索された前記サービス記録を、前記目標評価情報とマッチングする目標サービス記録と判定する。
【００６５】
検索された前記サービス記録を特定した後、検索された前記サービス記録を前記目標評価情報とマッチングする目標サービス記録と判定することができる。
【００６６】
上記ステップ２０５〜２１０の検索条件による何度も選別を経て、検索されたサービス記録を目標評価情報に一意的に対応しかつマッチングすると見なすことができ、このためにそれを目標サービス記録と判定することができることを理解すべきである。
【００６７】
上述は主にどのように評価ショートメッセージの送信時刻を介してサービス記録を選別する態様から説明したが、次に他の態様から本発明における評価情報のマッチング方法に対して詳しく説明し、図３に示すとおり、本発明の実施例における評価情報のマッチング方法の第三の実施例は以下を含む。
【００６８】
３０１：目標評価情報と前記目標評価情報に対応する目標評価ショートメッセージを取得する。
【００６９】
本実施例において、まず、目標評価情報と前記目標評価情報に対応する目標評価ショートメッセージを取得することができる。
【００７０】
該目標評価情報は顧客が該目標評価ショートメッセージに返答する評価情報であってもよい。顧客が一件の評価ショートメッセージに評価情報を返答する時、該評価情報を該評価ショートメッセージの送信元の電話番号に送信し、このためにシステムは目標評価情報及び対応する目標評価ショートメッセージを直接取得することができることを理解すべきである。
【００７１】
３０２：前記目標評価ショートメッセージを送信した第一電話番号を取得する。
【００７２】
前記目標評価ショートメッセージを取得した後、前記目標評価ショートメッセージを送信した第一電話番号を取得することができる。
【００７３】
上記第一電話番号はこの目標評価ショートメッセージを送信した電話番号を指す。これらの評価ショートメッセージを送信した電話番号は合意した規則に基づいて設定された電話番号であることを理解すべきである。例えば、電気通信事業者が企業に提供する公式番号が２２２２２であると仮定し、実際に評価ショートメッセージを送信した電話番号に対し、番号２２２２２の後ろに三桁の標識番号を追加してサービスデータの区別又はサービス記録のインデックスに用いることができ、したがって評価ショートメッセージを送信した電話番号は２２２２２ＸＸＸである。２２２２２ＸＸＸの番号は同時に最大３０００件の評価ショートメッセージを区別することができると分かり、３０００件の評価ショートメッセージを超える場合、同一の電話番号から二件以上の評価ショートメッセージを送信するという状況が発生する。
【００７４】
３０３：前記目標評価情報を送信した第二電話番号を取得する。
【００７５】
前記目標評価情報を取得した後、前記目標評価情報を送信した第二電話番号を取得することができ、該第二電話番号はすなわち該目標評価情報を送信した顧客の電話番号である。
【００７６】
３０４：前記第一電話番号内の第一標識番号を抽出する。
【００７７】
前記第一電話番号を取得した後、前記第一電話番号内の第一標識番号を抽出することができる。
【００７８】
該第一電話番号で目標評価ショートメッセージを送信する前、該第一電話番号にサービス記録の標識番号を組み込むことを理解すべきである。例えば、評価ショートメッセージを送信した電話番号は２２２２２ＸＸＸであると仮定し、該電話番号の後ろ三桁“ＸＸＸ”は該サービス記録の標識番号が組み込まれた位置である。評価ショートメッセージを送信した電話番号内の標識番号を抽出した後、これらの標識番号に基づいて対応するサービス記録を検索することができる。
【００７９】
特に、サービス記録を検索しやすいため、サービス記録のＩＤ番号の後ろ三桁を採用して該サービス記録の標識番号とすることができる。
【００８０】
３０５：マッチング対象のサービス記録を取得する。
【００８１】
本実施例において、条件に合致するサービス記録を検索する前、さらにマッチング対象のサービス記録を取得することができる。上記マッチング対象のサービス記録は、評価情報とのマッチングが未実施のサービス記録を指し、すべてのサービス記録が記憶されたデータベースからマッチング対象のサービス記録を取得することができる。
【００８２】
サービス記録について、通常は一件のサービス記録に対して一回の評価のみを行うため、評価情報とマッチングされたサービス記録は検索範囲内に含まれず、ステップ３０５を介して、評価されたサービス記録をフィルタリングすることができることを理解すべきである。
【００８３】
さらに、本実施例において、マッチング対象のサービス記録に対応する評価ショートメッセージの送信済み時間がプリセットされた時間閾値を超えるか否かを判断して、時間閾値を超える場合、前記マッチング対象のサービス記録とプリセットされたデフォルト評価情報とのマッチングを行うことをさらに含む、ことができる。
【００８４】
一部の顧客が受信した評価ショートメッセージに対して長時間にわたり返答せず、その後のある時間に一度で累積した複数件の評価ショートメッセージに対して返答を行う場合を考えて、これら累積した評価ショートメッセージの時間スパンが長い（例えば数ヶ月）可能性があり、これらの評価ショートメッセージ内に同じである番号からの評価ショートメッセージがあるという状況が発生しやすく、このためにサービス記録の正確マッチングに干渉と影響をもたらしやすいことを理解すべきである。そのため、さらに、送信済み時間がプリセットされた時間閾値を超える評価ショートメッセージに対応するサービス記録に対して自動評価を行うことができ、例えば、システムは、送信時から４８時間後に評価の返答をまだ受信しない評価ショートメッセージに対応するサービス記録に対して自動評価を行って、それと一件のプリセットされたデフォルト評価情報とマッチングすることができ、それによりこれらの干渉を引き起こしやすい“旧”サービス記録をフィルタリングすることができる。
【００８５】
３０６：取得された前記マッチング対象のサービス記録を、前記プリセットされたサービス記録と判定する。
【００８６】
３０７：プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得る。
【００８７】
前記第一標識番号、前記第二電話番号を取得した後、プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得る。
【００８８】
評価ショートメッセージを送信した電話番号内にサービスデータの区別又はサービス記録のインデックスに用いられる標識番号の桁数が限定されるため、例えば、評価ショートメッセージを送信した電話番号は２２２２２ＸＸＸであると仮定し、それが同時に最大３０００件の評価ショートメッセージを区別することができ、３０００件の評価ショートメッセージを超える場合、同一の電話番号から二件以上の評価ショートメッセージを送信するという状況が発生し、このためにただプリセットされたサービス記録から、標識番号が前記第一標識番号と同じであり、かつ対応する評価ショートメッセージの受信側の電話番号が前記第二電話番号と同じであるサービス記録を検索だけでは、条件に合致する二件以上のサービス記録を得る可能性があり、この時に該目標評価情報と間違ったサービス記録とのマッチングを行う状況が存在することを理解すべきである。このため、該初歩的な検索結果において二件以上のサービス記録を含む可能性がある。
【００８９】
３０８：前記初歩的な検索結果におけるサービス記録の数量が１より大きいか否かを判断して、数量が１より大きい場合、ステップ３０９を実行し、数量が１以下の場合、ステップ３１０を実行する。
【００９０】
初歩的な検索結果を取得した後、前記初歩的な検索結果における記録の数量が１より大きいか否かを判断することができ、数量が１より大きい場合、ステップ３０９を実行し、数量が１以下の場合、ステップ３１０を実行する。
【００９１】
３０９：前記初歩的な検索結果において対応する評価ショートメッセージの送信時刻が最も早いサービス記録を、検索された前記サービス記録と判定する。
【００９２】
前記初歩的な検索結果におけるサービス記録の数量が１より大きい場合、前記初歩的な検索結果において対応する評価ショートメッセージの送信時刻が最も早いサービス記録を、検索された前記サービス記録と判定することができる。
【００９３】
本発明の第三の実施例において、上述の第一の実施例における評価ショートメッセージの送信時刻が満たさなければならないプリセット条件は、対応する評価ショートメッセージの送信時刻が最も早いことを要求する。具体的に、評価ショートメッセージの送信時刻に基づいて初歩的な検索結果におけるサービス記録に対して昇順ソートを行い、続いて昇順で一番目のサービス記録を採用して該検索されたサービス記録とし、すなわち最初に送信した評価ショートメッセージに対応するサービス記録を採用して今回のマッチングを行う必要なサービス記録とする。
【００９４】
３１０：前記初歩的な検索結果におけるサービス記録の数量が１と等しいか否かを判断して、数量が１と等しい場合、ステップ３１１を実行し、数量が１と等しくない場合、ステップ３１２を実行する。
【００９５】
前記初歩的な検索結果におけるサービス記録の数量が１以下の場合、前記初歩的な検索結果におけるサービス記録の数量が１と等しいか否かを判断することができ、数量が１と等しい場合、ステップ３１１を実行し、数量が１と等しくない場合、ステップ３１２を実行する。
【００９６】
３１１：前記初歩的な検索結果におけるサービス記録を、検索された前記サービス記録と判定する。
【００９７】
前記初歩的な検索結果におけるサービス記録の数量が１と等しい場合、前記初歩的な検索結果におけるサービス記録を、検索された前記サービス記録と判定することができる。初歩的な検索結果におけるサービス記録の数量が１の場合、マッチングエラーの発生可能性が存在せず、このためにそれを検索された前記サービス記録と直接判定することができることを理解すべきである。
【００９８】
３１２：サービス記録の検索失敗のアラート情報を返す。
【００９９】
前記初歩的な検索結果におけるサービス記録の数量が０と等しい場合、サービス記録の検索失敗のアラート情報を返すことができる。
【０１００】
３１３、検索された前記サービス記録を、前記目標評価情報とマッチングする目標サービス記録と判定する。
【０１０１】
検索された前記サービス記録を特定した後、検索された前記サービス記録を前記目標評価情報とマッチングする目標サービス記録と判定することができる。
【０１０２】
上記ステップ３０７〜３１２の検索条件による何度も選別を経て、検索されたサービス記録を目標評価情報に一意的に対応しかつマッチングすると見なすことができ、このためにそれを目標サービス記録と判定することができることを理解すべきである。
【０１０３】
上述は主に評価情報のマッチング方法を説明したが、次に評価情報のマッチング装置に対して詳しく説明する。
【０１０４】
図４は本発明の実施例における評価情報のマッチング装置の第一の実施例の構造図を示す。
【０１０５】
本実施例において、評価情報のマッチング装置は、
目標評価情報と前記目標評価情報に対応する目標評価ショートメッセージを取得するために用いられる、評価情報ショートメッセージ取得モジュール４０１と、
前記目標評価ショートメッセージを送信した第一電話番号を取得するために用いられる、第一番号取得モジュール４０２と、
前記目標評価情報を送信した第二電話番号を取得するために用いられる、第二番号取得モジュール４０３と、
前記第一電話番号内の第一標識番号を抽出するために用いられる、第一標識番号取得モジュール４０４と、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するために用いられる、サービス記録検索モジュール４０５と、
検索された前記サービス記録を、前記目標評価情報とマッチングする目標サービス記録と判定するために用いられる、マッチングモジュール４０６を含む。
【０１０６】
図５は本発明の実施例における評価情報のマッチング装置の第二の実施例の構造図を示す。
【０１０７】
図５に示すとおり、さらに、前記サービス記録検索モジュール４０５は具体的に、
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得るために用いられる、初歩的検索ユニット４０５１と、
前記初歩的な検索結果におけるサービス記録の数量が１より大きいか否かを判断するために用いられる、数量判断ユニット４０５２と、
前記数量判断ユニット４０５２の判断結果がイエスの場合、前記初歩的な検索結果において対応する評価ショートメッセージの送信時刻が最も早いサービス記録を、検索された前記サービス記録と判定するために用いられる、検索判定ユニット４０５３を含むことができる。
【０１０８】
さらに、前記評価情報のマッチング装置は、
前記初歩的な検索結果におけるサービス記録の数量が１と等しい場合、前記初歩的な検索結果におけるサービス記録を、検索された前記サービス記録と判定するために用いられる、サービス記録判定モジュール４０７をさらに含むことができる。
【０１０９】
図６は本発明の実施例における評価情報のマッチング装置の第三の実施例の構造図を示す。
【０１１０】
図６に示すとおり、さらに、前記評価情報のマッチング装置は、
マッチング対象のサービス記録を取得するために用いられる、マッチング対象記録取得モジュール４０８と、
取得された前記マッチング対象のサービス記録を、前記プリセットされたサービス記録と判定するために用いられる、プリセット記録判定モジュール４０９をさらに含むことができる。
【０１１１】
さらに、前記評価情報のマッチング装置は、
マッチング対象のサービス記録に対応する評価ショートメッセージの送信済み時間がプリセットされた時間閾値を超えるか否かを判断するために用いられる、送信済み時間判断モジュール４１０と、
前記送信済み時間判断モジュール４１０の判断結果がイエスの場合、前記マッチング対象のサービス記録とプリセットされたデフォルト評価情報とのマッチングを行うために用いられる、デフォルト評価モジュール４１１をさらに含むことができる。
【０１１２】
図７は本発明の実施例が提供するサーバーの概略図である。図７に示すとおり、該実施例のサーバー７は、プロセッサ７０、記憶装置７１及び前記記憶装置７１に記憶されかつ前記プロセッサ７０に実行可能なコンピュータプログラム７２（例えば評価情報のマッチング方法を実行するプログラム）を含む。前記プロセッサ７０は前記コンピュータプログラム７２を実行する時に上記各評価情報のマッチング方法の実施例におけるステップ、例えば図１に示すステップ１０１から１０６を実行する。又は、前記プロセッサ７０は前記コンピュータプログラム７２を実行する時に上記各装置の実施例における各モジュール／ユニットの機能、例えば図４に示すモジュール４０１から４０６の機能を実現する。
【０１１３】
例として、前記コンピュータプログラム７２を一つ又は複数のモジュール／ユニットに分割することができ、前記一つ又は複数のモジュール／ユニットが前記記憶装置７１に記憶され、かつ前記プロセッサ７０で実行され、それによって本発明を達成する。前記一つ又は複数のモジュール／ユニットは特定の機能を達成することができる一連のコンピュータプログラム命令セグメントであってもよく、該命令セグメントは前記コンピュータプログラム７２が前記サーバー７に実行される過程を記述するために用いられる。
【０１１４】
前記サーバー７はローカルサーバー、クラウドサーバー等のコンピューティング設備であってもよい。前記サーバーは、プロセッサ７０、記憶装置７１を含んでもよいが、これらに限定されない。当業者は、図７がサーバー７の例に過ぎず、サーバー７を限定するものでなく、図面より多く又は少ない部品を含み、又は一部の部品又は異なる部品を組み合せることができ、例えば前記サーバーはさらに入出力デバイス、ネットワークアクセスデバイス、バス等を含むこともできる。
【０１１５】
前記プロセッサ７０は中央処理装置（Ｃｅｎｔｒａｌ  Ｐｒｏｃｅｓｓｉｎｇ  Ｕｎｉｔ、ＣＰＵ）であってもよく、さらに他の汎用プロセッサ、デジタル信号プロセッサ（Ｄｉｇｉｔａｌ  Ｓｉｇｎａｌ  Ｐｒｏｃｅｓｓｏｒ、ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）又は他のプログラマブル論理デバイス、離散ゲート又はトランジスタ論理デバイス、離散ハードウェアコンポーネント等であってもよい。汎用プロセッサはマイクロプロセッサであってもよく、又は該プロセッサはいかなる通常のプロセッサ等であってもよい。
【０１１６】
前記記憶装置７１は前記サーバー７の内部記憶ユニットであってもよく、例えばサーバー７のハードディスク又は内部メモリであってもよい。前記記憶装置７１は、前記サーバー７の外部記憶装置であってもよく、例えば、前記サーバー７に配置されたソケット式ハードディスク、スマートメディアカード（Ｓｍａｒｔ  Ｍｅｄｉａ（登録商標）  Ｃａｒｄ、ＳＭＣ）、セキュアデジタル（Ｓｅｃｕｒｅ  Ｄｉｇｉｔａｌ、ＳＤ）カード、フラッシュカード（Ｆｌａｓｈ  Ｃａｒｄ）等であってもよい。さらに、前記記憶装置７１はさらに前記サーバー７の内部記憶ユニットを含む上に外部記憶装置を含むこともできる。前記記憶装置７１は前記コンピュータプログラム及び前記サーバーに必要な他のプログラムとデータを記憶するために用いられる。前記記憶装置７１はさらに既に出力し又は出力しようとするデータを一時的に記憶するために用いることができる。
【０１１７】
当業者が明らかに了解するように、容易かつ簡潔に説明するため、上記で説明したシステム、装置及びユニットの具体的な作業過程は、前述方法の実施例における対応する過程を参照することができるので、ここでは贅言しない。
【０１１８】
本願が提供するいくつかの実施例において、開示しているシステム、装置及び方法は、他の形態で実現できることが理解されるべきである。例えば、上述の装置の実施例は例示に過ぎず、例えば、前記ユニットの分類は、論理機能の分類に過ぎず、実際に実現する場合に他の分類方式であってもよく、例えば複数のユニット又はコンポーネントを組み合わせることができ又は他のシステムに集積することができ、又はいくつかの特徴を無視し、又は実行しなくてもよい。その一方で、表示又は討論されているお互いの間の結合又は直接結合又は通信接続は、いつくかのインタフェース、装置又はユニットを介する間接結合又は通信接続であってもよく、電気的、機械的又は他の形式であってもよい。
【０１１９】
前記の分離部品として説明されたユニットは物理的に分離可能又は分離不可であってもよく、ユニットとして表示される部品は物理的なユニットであってもよい、物理的なユニットでなくてもよく、すなわち一つの場所に位置することができ、又は複数のネットワークユニットに分布することもできる。実際の要求に応じてそのうちの一部又はすべてのユニットを選択して本実施例の解決手段の目的を実現することができる。
【０１２０】
さらに、本発明の各実施例における各機能ユニットを一つの処理ユニット内に集積することができ、各ユニットは物理的に独立することもでき、二つ又は二つ以上のユニットを一つのユニットに集積することもできる。上記集積ユニットはハードウェアの形式を採用して実現されることもでき、ソフトウェア機能ユニットの形式を採用して実現されることもできる。
【０１２１】
前記集積ユニットはソフトウェア機能ユニットの形式で実現されかつ独立製品として販売又は使用される場合、一つのコンピュータが読み取り可能な記憶媒質に記憶されることができる。このような理解に基づき、本発明の技術的解決手段は本質的に、又は従来技術に貢献する部分又は該技術的解決手段のすべて又は一部がソフトウェア製品の形式で体現されることができ、該コンピュータソフトウェア製品が一つの記憶媒体に記憶され、複数の命令を含んで一台のコンピュータ装置（パーソナルコンピュータ、サーバー、又はネットワークデバイス等であってもよい）に本発明の各実施例に記載の方法のすべて又は一部を実行させるために用いられる。前述の記憶媒質は、ＵＳＢメモリ、リムーバブルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶可能な各種の媒質を含む。
【０１２２】
上記に述べたように、以上の実施例は本発明の技術的解決手段の説明のみに用いられ、限定ではない。前記実施例を参照して本発明について詳しく説明したが、当業者は、依然として前記各実施例に記載の技術的解決手段を変更し、又はそのうち一部の技術特徴に対して均等物による置き換えを行うことができること、これらの変更又は置き換えは、対応する技術的解決手段の本質を本発明の各実施例の技術的解決手段の精神と範囲から逸脱させることがないことを理解すべきである。
【０１２３】
（付記）
（付記１）
目標評価情報と前記目標評価情報に対応する目標評価ショートメッセージを取得することと、
前記目標評価ショートメッセージを送信した第一電話番号を取得することと、
前記目標評価情報を送信した第二電話番号を取得することと、
前記第一電話番号内の第一標識番号を抽出することと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することと、
検索された前記サービス記録を、前記目標評価情報とマッチングする目標サービス記録と判定することと、を含む、
ことを特徴とする評価情報のマッチング方法。
【０１２４】
（付記２）
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする付記１に記載の評価情報のマッチング方法。
【０１２５】
（付記３）
前記初歩的な検索結果におけるサービス記録の数量が１と等しい場合、前記初歩的な検索結果におけるサービス記録を、検索された前記サービス記録と判定することをさらに含む、
ことを特徴とする付記２に記載の評価情報のマッチング方法。
【０１２６】
（付記４）
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索する前に、
マッチング対象のサービス記録を取得することと、
取得された前記マッチング対象のサービス記録を、前記プリセットされたサービス記録と判定することと、をさらに含む、
ことを特徴とする付記１から３のいずれか１つに記載の評価情報のマッチング方法。
【０１２７】
（付記５）
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする付記４に記載の評価情報のマッチング方法。
【０１２８】
（付記６）
目標評価情報と前記目標評価情報に対応する目標評価ショートメッセージを取得するために用いられる、評価情報ショートメッセージ取得モジュールと、
前記目標評価ショートメッセージを送信した第一電話番号を取得するために用いられる、第一番号取得モジュールと、
前記目標評価情報を送信した第二電話番号を取得するために用いられる、第二番号取得モジュールと、
前記第一電話番号内の第一標識番号を抽出するために用いられる、第一標識番号取得モジュールと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するために用いられる、サービス記録検索モジュールと、
検索された前記サービス記録を、前記目標評価情報とマッチングする目標サービス記録と判定するために用いられる、マッチングモジュールと、を含む、
ことを特徴とする評価情報のマッチング装置。
【０１２９】
（付記７）
前記サービス記録検索モジュールは、
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得るために用いられる、初歩的検索ユニットと、
前記初歩的な検索結果におけるサービス記録の数量が１より大きいか否かを判断するために用いられる、数量判断ユニットと、
前記数量判断ユニットの判断結果がイエスの場合、前記初歩的な検索結果において対応する評価ショートメッセージの送信時刻が最も早いサービス記録を、検索された前記サービス記録と判定するために用いられる、検索判定ユニットと、を含む、
ことを特徴とする付記６に記載の評価情報のマッチング装置。
【０１３０】
（付記８）
前記初歩的な検索結果におけるサービス記録の数量が１と等しい場合、前記初歩的な検索結果におけるサービス記録を、検索された前記サービス記録と判定するために用いられる、サービス記録判定モジュールをさらに含む、
ことを特徴とする付記７に記載の評価情報のマッチング装置。
【０１３１】
（付記９）
マッチング対象のサービス記録を取得するために用いられる、マッチング対象記録取得モジュールと、
取得された前記マッチング対象のサービス記録を、前記プリセットされたサービス記録と判定するために用いられる、プリセット記録判定モジュールと、をさらに含む、
ことを特徴とする付記６から８のいずれか１つに記載の評価情報のマッチング装置。
【０１３２】
（付記１０）
マッチング対象のサービス記録に対応する評価ショートメッセージの送信済み時間がプリセットされた時間閾値を超えるか否かを判断するために用いられる、送信済み時間判断モジュールと、
前記送信済み時間判断モジュールの判断結果がイエスの場合、前記マッチング対象のサービス記録とプリセットされたデフォルト評価情報とのマッチングを行うために用いられる、デフォルト評価モジュールと、をさらに含む、
ことを特徴とする付記９に記載の評価情報のマッチング装置。
【０１３３】
（付記１１）
記憶装置、プロセッサ及び前記記憶装置に記憶されかつ前記プロセッサに実行可能なコンピュータプログラムを含むサーバーであって、前記プロセッサが前記コンピュータプログラムを実行する時に、
目標評価情報と前記目標評価情報に対応する目標評価ショートメッセージを取得するステップと、
前記目標評価ショートメッセージを送信した第一電話番号を取得するステップと、
前記目標評価情報を送信した第二電話番号を取得するステップと、
前記第一電話番号内の第一標識番号を抽出するステップと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップと、
検索された前記サービス記録を、前記目標評価情報とマッチングする目標サービス記録と判定するステップと、を実現する、
ことを特徴とするサーバー。
【０１３４】
（付記１２）
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする付記１１に記載のサーバー。
【０１３５】
（付記１３）
前記初歩的な検索結果におけるサービス記録の数量が１と等しい場合、前記初歩的な検索結果におけるサービス記録を、検索された前記サービス記録と判定することをさらに含む、
ことを特徴とする付記１２に記載のサーバー。
【０１３６】
（付記１４）
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップの前に、
マッチング対象のサービス記録を取得することと、
取得された前記マッチング対象のサービス記録を、前記プリセットされたサービス記録と判定することと、をさらに含む、
ことを特徴とする付記１１から１３のいずれか１つに記載のサーバー。
【０１３７】
（付記１５）
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする付記１４に記載のサーバー。
【０１３８】
（付記１６）
コンピュータプログラムが記憶されたコンピュータ可読記憶媒体であって、前記コンピュータプログラムがプロセッサによって実行される時に、
目標評価情報と前記目標評価情報に対応する目標評価ショートメッセージを取得するステップと、
前記目標評価ショートメッセージを送信した第一電話番号を取得するステップと、
前記目標評価情報を送信した第二電話番号を取得するステップと、
前記第一電話番号内の第一標識番号を抽出するステップと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップと、
検索された前記サービス記録を、前記目標評価情報とマッチングする目標サービス記録と判定するステップと、を実現する、
ことを特徴とするコンピュータ可読記憶媒体。
【０１３９】
（付記１７）
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする付記１６に記載のコンピュータ可読記憶媒体。
【０１４０】
（付記１８）
前記初歩的な検索結果におけるサービス記録の数量が１と等しい場合、前記初歩的な検索結果におけるサービス記録を、検索された前記サービス記録と判定することをさらに含む、
ことを特徴とする付記１７に記載のコンピュータ可読記憶媒体。
【０１４１】
（付記１９）
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップの前に、
マッチング対象のサービス記録を取得することと、
取得された前記マッチング対象のサービス記録を、前記プリセットされたサービス記録と判定することと、をさらに含む、
ことを特徴とする付記１６から１８のいずれか１つに記載のコンピュータ可読記憶媒体。
【０１４２】
（付記２０）
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする付記１９に記載のコンピュータ可読記憶媒体。
【図１】
2019508762.tif 000003
【図２】
2019508762.tif 000004
【図３】
2019508762.tif 000005
【図４】
2019508762.tif 000006
【図５】
2019508762.tif 000007
【図６】
2019508762.tif 000008
【図７】
2019508762.tif 000009
【手続補正書】
【提出日】平成30年4月13日(2018.4.13)
【手続補正２】
【補正対象書類名】特許請求の範囲
【補正対象項目名】全文
【補正方法】変更
【補正の内容】
【特許請求の範囲】
【請求項１】
目標評価情報と前記目標評価情報に対応する目標評価ショートメッセージを取得することと、
前記目標評価ショートメッセージを送信した第一電話番号を取得することと、
前記目標評価情報を送信した第二電話番号を取得することと、
前記第一電話番号内の第一標識番号を抽出することと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することと、
検索された前記サービス記録を、前記目標評価情報とマッチングする目標サービス記録と判定することと、を含む、
ことを特徴とする評価情報のマッチング方法。
【請求項２】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索することは、具体的に
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得ることと、
前記初歩的な検索結果におけるサービス記録の数量が１より大きいか否かを判断することと、
前記初歩的な検索結果におけるサービス記録の数量が１より大きい場合、前記初歩的な検索結果において対応する評価ショートメッセージの送信時刻が最も早いサービス記録を、検索された前記サービス記録と判定することと、を含む、
ことを特徴とする請求項１に記載の評価情報のマッチング方法。
【請求項３】
前記初歩的な検索結果におけるサービス記録の数量が１と等しい場合、前記初歩的な検索結果におけるサービス記録を、検索された前記サービス記録と判定することをさらに含む、
ことを特徴とする請求項２に記載の評価情報のマッチング方法。
【請求項４】
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索する前に、
マッチング対象のサービス記録を取得することと、
取得された前記マッチング対象のサービス記録を、前記プリセットされたサービス記録と判定することと、をさらに含む、
ことを特徴とする請求項１から３のいずれか一項に記載の評価情報のマッチング方法。
【請求項５】
マッチング対象のサービス記録に対応する評価ショートメッセージの送信済み時間がプリセットされた時間閾値を超えるか否かを判断することと、
前記マッチング対象のサービス記録に対応する評価ショートメッセージの送信済み時間がプリセットされた時間閾値を超える場合、前記マッチング対象のサービス記録とプリセットされたデフォルト評価情報とのマッチングを行うことと、をさらに含む、
ことを特徴とする請求項４に記載の評価情報のマッチング方法。
【請求項６】
目標評価情報と前記目標評価情報に対応する目標評価ショートメッセージを取得するために用いられる、評価情報ショートメッセージ取得モジュールと、
前記目標評価ショートメッセージを送信した第一電話番号を取得するために用いられる、第一番号取得モジュールと、
前記目標評価情報を送信した第二電話番号を取得するために用いられる、第二番号取得モジュールと、
前記第一電話番号内の第一標識番号を抽出するために用いられる、第一標識番号取得モジュールと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するために用いられる、サービス記録検索モジュールと、
検索された前記サービス記録を、前記目標評価情報とマッチングする目標サービス記録と判定するために用いられる、マッチングモジュールと、を含む、
ことを特徴とする評価情報のマッチング装置。
【請求項７】
前記サービス記録検索モジュールは、
プリセットされたサービス記録から、標識番号が前記第一標識番号と同じであり、かつ対応する評価ショートメッセージの受信側の電話番号が前記第二電話番号と同じであるサービス記録を検索して、初歩的な検索結果を得るために用いられる、初歩的検索ユニットと、
前記初歩的な検索結果におけるサービス記録の数量が１より大きいか否かを判断するために用いられる、数量判断ユニットと、
前記数量判断ユニットの判断結果がイエスの場合、前記初歩的な検索結果において対応する評価ショートメッセージの送信時刻が最も早いサービス記録を、検索された前記サービス記録と判定するために用いられる、検索判定ユニットと、を含む、
ことを特徴とする請求項６に記載の評価情報のマッチング装置。
【請求項８】
前記初歩的な検索結果におけるサービス記録の数量が１と等しい場合、前記初歩的な検索結果におけるサービス記録を、検索された前記サービス記録と判定するために用いられる、サービス記録判定モジュールをさらに含む、
ことを特徴とする請求項７に記載の評価情報のマッチング装置。
【請求項９】
マッチング対象のサービス記録を取得するために用いられる、マッチング対象記録取得モジュールと、
取得された前記マッチング対象のサービス記録を、前記プリセットされたサービス記録と判定するために用いられる、プリセット記録判定モジュールと、をさらに含む、
ことを特徴とする請求項６から８のいずれか一項に記載の評価情報のマッチング装置。
【請求項１０】
記憶装置、プロセッサ及び前記記憶装置に記憶されかつ前記プロセッサに実行可能なコンピュータプログラムを含むサーバーであって、前記プロセッサが前記コンピュータプログラムを実行する時に、
目標評価情報と前記目標評価情報に対応する目標評価ショートメッセージを取得するステップと、
前記目標評価ショートメッセージを送信した第一電話番号を取得するステップと、
前記目標評価情報を送信した第二電話番号を取得するステップと、
前記第一電話番号内の第一標識番号を抽出するステップと、
プリセットされたサービス記録から、標識番号が前記第一標識番号と同じであり、かつ対応する評価ショートメッセージの受信側の電話番号が前記第二電話番号と同じであり、かつ前記対応する評価ショートメッセージの送信時刻がプリセット条件を満たすサービス記録を検索するステップと、
検索された前記サービス記録を、前記目標評価情報とマッチングする目標サービス記録と判定するステップと、を実現する、
ことを特徴とするサーバー。
【国際調査報告】
2019508762.tif 000010
2019508762.tif 000011
2019508762.tif 000012
2019508762.tif 000013